(57)【要約】【課題】  多くの者がホットスポットサービスを比較的安価に利用することができる利便性の高いワイヤレスインターネットアクセスシステムを提供する。【解決手段】  無線ＬＡＮ機能を有する携帯電話端末１に接続されて情報を表示する表示手段２と、携帯電話端末１に接続されて情報の入力をおこなう入力手段３、４と、携帯電話端末１とのアクセスをおこなう無線基地局５と、無線基地局５に接続されるとともにインターネット１０に接続可能に構成された基幹ネットワーク１１と、基幹ネットワーク１１に接続されて携帯電話端末１の認証をおこなう認証サーバ６と、基幹ネットワーク１１に接続されて携帯電話端末１の課金管理をおこなう課金管理サーバ７と、を備える。【選択図】        図１
2006129328.tif 000002
【特許請求の範囲】
【請求項１】
無線ＬＡＮ機能を有する携帯電話端末に接続されて、当該携帯電話端末を介して出力されるビデオ信号に基いて情報を表示する表示手段と、
前記携帯電話端末に接続されて、当該携帯電話端末を介して情報の入力をおこなう入力手段と、
前記携帯電話端末とのアクセスをおこなう無線基地局と、
前記無線基地局に接続されるとともにインターネットに接続可能に構成された基幹ネットワークと、
前記基幹ネットワークに接続されて、前記携帯電話端末の認証をおこなう認証サーバと、
前記基幹ネットワークに接続されて、前記携帯電話端末の課金管理をおこなう課金管理サーバと、
を備えたことを特徴とするワイヤレスインターネットアクセスシステム。
【請求項２】
前記携帯電話端末は、前記無線基地局及び前記基幹ネットワークを介して前記インターネットにアクセスしてＩＰ電話として利用されることを特徴とする請求項１に記載のワイヤレスインターネットアクセスシステム。
【請求項３】
前記認証サーバは、携帯電話基地局を介して前記携帯電話端末に対するコールバックをおこない当該携帯電話端末の認証をおこなうことを特徴とする請求項１又は請求項２に記載のワイヤレスインターネットアクセスシステム。
【請求項４】
前記基幹ネットワークに接続されて、アプリケーションを管理するアプリケーションサーバをさらに備えたことを特徴とする請求項１〜請求項３のいずれかに記載のワイヤレスインターネットアクセスシステム。
【請求項５】
前記アプリケーションサーバは、マルチプラットフォームに対応するアプリケーションを管理することを特徴とする請求項４に記載のワイヤレスインターネットアクセスシステム。
【発明の詳細な説明】
【技術分野】
【０００１】
この発明は、ワイヤレスインターネットアクセスシステムに関し、特に、ホットスポットサービスに利用されるワイヤレスインターネットアクセスシステムに関するものである。
【背景技術】
【０００２】
近年、インターネットを代表とするネットワークや無線ＬＡＮの普及によって、ホットスポットと呼ばれるネットワーク接続サービスが広く提供されている。ここで、ホットスポット（登録商標）は、飲食店等を利用する不特定多数の利用者に対してネットワーク接続サービスを提供するための空間をいう。
このようなホットスポットサービスを利用するためには、ノート型パソコンやＬＡＮ機能を備えた高価なＰＤＡを利用者が用意する必要がある。
【０００３】
一方、近年の携帯電話端末（携帯電話）の高機能化にともない、それらに内蔵されるＣＰＵの性能も格段に向上している。また、そのような携帯電話端末を利用する利用者の数は、上述したノート型パソコンやＰＤＡの利用者数を遥かに上回るものである。
また、現在、無線ＬＡＮ機能を有する携帯電話端末の開発が盛んに進められている。このように、さらに高機能化された携帯電話端末は、今後、一段と普及していくものと予測される。
【０００４】
他方、特許文献１、特許文献２等には、ホットスポットの利便性を高めるための技術が開示されている。これらの技術は、上述したノート型パソコンやＰＤＡの利用者を対象としたものになっている。
【０００５】
【特許文献１】特開２００２−３１５０５８号公報
【特許文献２】特開２００３−３１８９９１号公報
【発明の開示】
【発明が解決しようとする課題】
【０００６】
上述した従来の技術は、ホットスポットの利用者を、ノート型パソコンやＬＡＮ機能を備えた高価なＰＤＡの利用者に限定するものであって、サービスの提供を受ける利用者に対する利便性が充分ではなかった。
【０００７】
この発明は、上述のような課題を解決するためになされたもので、多くの者がホットスポットサービスを比較的安価に利用することができる利便性の高いワイヤレスインターネットアクセスシステムを提供することにある。
【課題を解決するための手段】
【０００８】
この発明の請求項１記載の発明にかかるワイヤレスインターネットアクセスシステムは、無線ＬＡＮ機能を有する携帯電話端末に接続されて、当該携帯電話端末を介して出力されるビデオ信号に基いて情報を表示する表示手段と、前記携帯電話端末に接続されて、当該携帯電話端末を介して情報の入力をおこなう入力手段と、前記携帯電話端末とのアクセスをおこなう無線基地局と、前記無線基地局に接続されるとともにインターネットに接続可能に構成された基幹ネットワークと、前記基幹ネットワークに接続されて、前記携帯電話端末の認証をおこなう認証サーバと、前記基幹ネットワークに接続されて、前記携帯電話端末の課金管理をおこなう課金管理サーバと、を備えたものである。
【０００９】
また、請求項２記載の発明にかかるワイヤレスインターネットアクセスシステムは、前記請求項１に記載の発明において、前記携帯電話端末は、前記無線基地局及び前記基幹ネットワークを介して前記インターネットにアクセスしてＩＰ電話として利用されるものである。
【００１０】
また、請求項３記載の発明にかかるワイヤレスインターネットアクセスシステムは、前記請求項１又は請求項２に記載の発明において、前記認証サーバは、携帯電話基地局を介して前記携帯電話端末に対するコールバックをおこない当該携帯電話端末の認証をおこなうものである。
【００１１】
また、請求項４記載の発明にかかるワイヤレスインターネットアクセスシステムは、前記請求項１〜請求項３のいずれかに記載の発明において、前記基幹ネットワークに接続されて、アプリケーションを管理するアプリケーションサーバをさらに備えたものである。
【００１２】
また、請求項５記載の発明にかかるワイヤレスインターネットアクセスシステムは、前記請求項４に記載の発明において、前記アプリケーションサーバは、マルチプラットフォームに対応するアプリケーションを管理するものである。
【発明の効果】
【００１３】
本発明は、無線ＬＡＮ機能を有する携帯電話端末を用いてホットスポットサービスを利用できるように構成しているために、多くの者がホットスポットサービスを比較的安価に利用することができる利便性の高いワイヤレスインターネットアクセスシステムを提供することができる。
【発明を実施するための最良の形態】
【００１４】
以下、この発明を実施するための最良の形態について、図面を参照して詳細に説明する。なお、各図中、同一又は相当する部分には同一の符号を付しており、その重複説明は適宜に簡略化ないし省略する。
【００１５】
実施の形態１．
図１にて、この発明の実施の形態１について詳細に説明する。
図１は、実施の形態１におけるワイヤレスインターネットアクセスシステムを示す概略図である。
図１において、１はホットスポットで利用者が使用する無線ＬＡＮ機能を有する携帯電話端末、２は携帯電話端末１に直接的に接続される表示手段としての表示装置、３は携帯電話端末１に直接的に接続される入力手段としてのマウス（ポインティングデバイス）、４は携帯電話端末１に直接的に接続される入力手段としてのキーボード、を示す。なお、入力手段は、マウス３やキーボード４に限定されずに、種々のマンマシンインターフェースを用いることができる。
【００１６】
また、５はホットスポット内で携帯電話端末１と基幹ネットワーク１１のブリッジとして使用される無線基地局（アクセスポイント）、６はホットスポットの利用（アクセス）を管理する認証サーバ、７は利用者１２の課金情報を管理する課金管理サーバ、８は外部にあるインターネット１０との接続をおこなうためのルータ、を示す。
【００１７】
このように構成されたワイヤレスインターネットアクセスシステムにおいて、利用者１２は、まず、持参の携帯電話端末１をホットスポットにある表示装置２、マウス３、キーボード４に接続して、マウス３やキーボード４による入力操作をおこなう。そして、携帯電話端末１の無線ＬＡＮ機能を用いて、無線基地局５を介して、基幹ネットワーク１１に接続された認証サーバ６にアクセスする。そして、アクセスした認証サーバ６にて認証手続きをおこなう。ここで、認証サーバ６は、例えば、ＭＡＣアドレスにて認証管理をおこなっている。
【００１８】
その後、認証サーバ６による認証手続きが完了した段階で、課金管理サーバ７によって利用者１２の課金情報が扱われることになる。ここで、課金管理サーバ７でおこなわれる課金情報の設定は、ホットスポットの管理者が任意に定めることができて、例えば、パケット従量方式でおこなうこともできるし、サービスの利用時間に応じておこなうこともできる。
【００１９】
こうして、認証手続きと課金情報設定とが完了した利用者１２は、基幹ネットワーク１１に接続されたルータ８を介して、自由にインターネット１０にアクセスすることできる。インターネット１０からの情報は、利用者１２が持参した携帯電話端末１に内蔵されたＣＰＵによって処理された後に、出力されるビデオ信号に基いて表示装置２に表示される。
さらに、認証手続きと課金情報設定とが完了した利用者１２は、基幹ネットワーク１１に接続されたルータ８を介して、ＩＰ電話サービスを利用することができる。すなわち、持参した形態電話端末１をＩＰ電話として利用することができる。
【００２０】
以上説明したように、本実施の形態１では、ノート型パソコンの入出力デバイスと同程度の入出力デバイス機能２〜４を、普及率の高い携帯電話端末１に接続するだけで、携帯電話端末１に搭載されたＣＰＵを有効に使用して、インターネットサービスやＩＰ電話サービスの提供を受けることができる。したがって、ホットスポットサービスの利用者は、多くの者が共通して比較的安価に利用することができる利便性の高いサービスの提供を受けることができる。また、ホットスポットサービスの提供者にとっても、利用者自身が携帯電話端末１とともに高性能なＣＰＵを持参することになるため、システム構築が安価になる利点がある。
【００２１】
実施の形態２．
図２にて、この発明の実施の形態２について詳細に説明する。
図２は、実施の形態２におけるワイヤレスインターネットアクセスシステムを示す概略図である。本実施の形態２のワイヤレスインターネットアクセスシステムは、利用者（携帯電話端末）の認証をコールバックを用いておこなう点が、前記実施の形態１のものとは相違する。
【００２２】
図２において、９は携帯電話端末１と電話回線を利用して通信をおこなうためのモデム、１３は携帯電話基地局、を示す。
本実施の形態２において、利用者は、まず、ホットスポットでの認証手続きをおこなうために、携帯電話基地局１３を介して通常の電話回線にてホットスポット内の認証サーバ６に付帯しているモデム９に接続する。そして、携帯電話端末１のＭＡＣアドレス情報を転送して、一旦電話回線を切断する。利用者からのＭＡＣアドレス情報を受けた認証サーバ６は、コールバック機能を用いて利用者の携帯電話端末１との電話回線を再度接続して、ホットスポット内で使用されているセキュリティ情報（共通鍵、パスワード等である。）を利用者に伝える。
【００２３】
その後、利用者は、携帯電話端末１を、ホットスポットにある表示装置２、マウス３、キーボード４に接続して、前記実施の形態１と同様に、無線ＬＡＮ機能を使用して無線基地局５を介して認証サーバ６にて認証手続きをおこなう。さらに、課金管理サーバ７にて課金情報の設定がおこなわれて、利用者は、インターネット１０へのアクセスやＩＰ電話サービスの利用が可能になる。
【００２４】
以上説明したように、本実施の形態２でも、前記実施の形態１と同様に、利用者数が多い無線ＬＡＮ機能付きの携帯電話端末１を用いてホットスポットサービスを利用できるように構成しているために、多くの者がホットスポットサービスを比較的安価に利用することができて利便性が高まる。また、ホットスポットサービスの提供者にとっても、利用者自身が携帯電話端末１とともに高性能なＣＰＵを持参することになるため、システム構築が安価になる利点がある。
さらに、本実施の形態２では、コールバック機能による利用者の認証をおこなっているために、端末の特定が可能になるとともに、認証手続きが自動設定できる利点がある。
【００２５】
実施の形態３．
図３にて、この発明の実施の形態３について詳細に説明する。
図３は、実施の形態３におけるワイヤレスインターネットアクセスシステムを示す概略図である。本実施の形態３のワイヤレスインターネットアクセスシステムは、基幹ネットワーク１１にアプリケーションサーバ１４が接続されている点が、前記実施の形態１のものとは相違する。
【００２６】
図３において、１４はホットスポット内でアプリケーションサービスを実行するアプリケーションサーバを示す。
本実施の形態３において、利用者は、まず、持参の携帯電話端末１をホットスポットにある表示装置２、マウス３、キーボード４に接続して、マウス３やキーボード４による入力操作をおこなう。そして、前記実施の形態１と同様に、無線ＬＡＮ機能を使用して無線基地局５を介して認証サーバ６にて認証手続きをおこなう。さらに、課金管理サーバ７にて課金情報の設定がおこなわれる。
【００２７】
こうして、利用者は、インターネット１０へのアクセスやＩＰ電話サービスの利用が可能になる。さらに、利用者は、アプリケーションサーバ１４に登録されているソフトウェアを携帯電話端末１にダウンロードして使用することができる。ここで、アプリケーションサーバ１４に登録されているアプリケーションは、すべて、マルチプラットフォームに対応するとともに、ＪＡＶＡ(登録商標）で記述されている。
【００２８】
インターネット１０からの情報表示や、アプリケーションサーバ１４からダウンロードしたソフトウェアの実行は、利用者が持参した携帯電話端末１に内蔵されたＣＰＵによって処理された後に、表示装置２に出力される。
【００２９】
以上説明したように、本実施の形態３でも、前記実施の形態１と同様に、無線ＬＡＮ機能を有する携帯電話端末１を用いてホットスポットサービスを利用できるように構成しているために、多くの者がホットスポットサービスを比較的安価に利用することができて利便性が高まる。また、ホットスポットサービスの提供者にとっても、利用者自身が携帯電話端末１とともに高性能なＣＰＵを持参することになるため、システム構築が安価になる利点がある。
さらに、本実施の形態３では、マルチプラットフォームに対応するアプリケーションを管理するアプリケーションサーバ１４をホットスポット内に設けているため、利用者は使用する端末機器のＯＳの違いを意識せずにアプリケーションサービスの提供を受けることができる。
【００３０】
なお、本発明が前記各実施の形態に限定されず、本発明の技術思想の範囲内において、前記各実施の形態の中で示唆した以外にも、前記各実施の形態は適宜変更され得ることは明らかである。また、前記構成部材の数、位置、形状等は前記各実施の形態に限定されず、本発明を実施する上で好適な数、位置、形状等にすることができる。
【図面の簡単な説明】
【００３１】
【図１】この発明の実施の形態１におけるワイヤレスインターネットアクセスシステムを示す概略図である。
【図２】この発明の実施の形態２におけるワイヤレスインターネットアクセスシステムを示す概略図である。
【図３】この発明の実施の形態３におけるワイヤレスインターネットアクセスシステムを示す概略図である。
【符号の説明】
【００３２】
１  携帯電話端末、  ２  表示装置（表示手段）、
３  マウス（ポインティングデバイス）、
４  キーボード（入力手段）、
５  無線基地局（アクセスポイント）、
６  認証サーバ、  ７  課金管理サーバ、
８  ルータ、  ９  モデム、
１０  インターネット、  １１  基幹ネットワーク、
１２  利用者、  １３  携帯電話基地局、
１４  アプリケーションサーバ。
【図１】
2006129328.tif 000003
【図２】
2006129328.tif 000004
【図３】
2006129328.tif 000005